(57)【特許請求の範囲】
【請求項１】
少なくとも２つの広告情報を印刷した紙片を含み、表紙紙片およびその他の印刷された紙片は全て同じである本を集積した集積体において、
広告情報を印刷した紙片Ａが本の前半に位置し、紙片Ａに印刷された広告情報とは異なる広告情報を印刷した紙片Ｂが本の後半に位置する本と、
広告情報を印刷した紙片Ａが本の後半に位置し、紙片Ａに印刷
された広告情報とは異なる広告情報を印刷した紙片Ｂが本の前半に位置する本とが、
交互に重ね合わされている事を特徴とする集積体。
【請求項２】
少なくとも２つの広告情報を印刷した紙片を含み、表紙紙片およびその他の印刷された紙片は全て同じである本を集積した集積体において、
広告情報を印刷した紙片Ａが１冊の本を約３等分した際の前１／３に位置し、紙片Ａに印刷された広告情報とは異なる広告情報を印刷した紙片Ｂが１冊の本を約３等分した際の後１／３に位置する本と、
広告情報を印刷した紙片Ａが１冊の本を約３等分した際の後１／３に位置し、紙片Ａに印刷された広告情報とは異なる広告情報を印刷した紙片Ｂが１冊の本を約３等分した際の前１／３に位置する本とが、
交互に重ね合わされている事を特徴とする集積体。
【発明の詳細な説明】
【０００１】
【発明の属する技術分野】
本発明は本の集積体に関するもので、特に内容が同じで少なくとも２種類の広告情報を印刷した紙片の位置のみが前半と後半で入れ代わった本の集積体に関する。
【０００２】
【従来の技術】
週刊誌，月刊誌，その他の雑誌等において、広告情報を印刷した紙片が複数あり、この広告情報を印刷した紙片の位置がどの位置にあるかにより広告の読者に与える効果に差があり、本の前半か後半か、特に本の前から１／３と後から１／３の場所にあるかにより、広告の読者に与える効果に大きな差があり、値段で差があるもののお得意先に公平に掲載できないという問題があった。また、上記の本の中にはテレビ番組のように地域により内容が異なるものには、一部内容を変更した例えば関東版，関西版としたものは存在していた。しかしこれらの本は異なる本と認識されていた。よって、従来は本の内容が同じで広告情報を印刷した紙片の位置のみが異なる本の集積体という発想は全く考えられていなかった。
【０００３】
【発明が解決しようとする課題】
本発明は、以上の問題点を解決すべく、お得意先に公平な広告情報を印刷した紙片の位置を有する本の集積体を提供することを課題とする。
【０００４】
【課題を解決するための手段】
少なくとも２つの広告情報を印刷した紙片を含み、表紙紙片およびその他の印刷された紙片は全て同じである本を集積した集積体において、広告情報を印刷した紙片Ａが本の前半に位置し、紙片Ａに印刷された広告情報とは異なる広告情報を印刷した紙片Ｂが本の後半に位置する本と、広告情報を印刷した紙片Ａが本の後半に位置し、紙片Ａに印刷された広告情報とは異なる広告情報を印刷した紙片Ｂが本の前半に位置する本とが、交互に重ね合わされている事を特徴とする集積体である。
【０００５】
また、少なくとも２つの広告情報を印刷した紙片を含み、表紙紙片およびその他の印刷された紙片は全て同じである本を集積した集積体において、広告情報を印刷した紙片Ａが１冊の本を約３等分した際の前１／３に位置し、紙片Ａに印刷された広告情報とは異なる広告情報を印刷した紙片Ｂが１冊の本を約３等分した際の後１／３に位置する本と、広告情報を印刷した紙片Ａが１冊の本を約３等分した際の後１／３に位置し、紙片Ａに印刷された広告情報とは異なる広告情報を印刷した紙片Ｂが１冊の本を約３等分した際の前１／３に位置する本とが、交互に重ね合わされている事を特徴とする集積体である。
【０００６】
【発明の実施の形態】
請求項１の発明は、少なくとも２つの広告情報を印刷した紙片を含み、表紙紙片およびその他の印刷された紙片は全て同じである本を集積した集積体において、広告情報を印刷した紙片Ａが本の前半に位置し、紙片Ａに印刷された広告情報とは異なる広告情報を印刷した紙片Ｂが本の後半に位置する本と、広告情報を印刷した紙片Ａが本の後半に位置し、紙片Ａに印刷された広告情報とは異なる広告情報を印刷した紙片Ｂが本の前半に位置する本とが、交互に重ね合わされている事を特徴とする集積体である。ここで広告情報を印刷した紙片Ａが本の前半に位置し、紙片Ａに印刷された広告情報とは異なる広告情報を印刷した紙片Ｂが本の後半に位置する本と、広告情報を印刷した紙片Ａが本の後半に位置し、紙片Ａに印刷された広告情報とは異なる広告情報を印刷した紙片Ｂが本の前半に位置する本とは、図１，図２に示すように、平綴じ，無線綴じ（図１）で左右の本は内容は全て同じで、広告情報を印刷した紙片Ａと広告情報を印刷した紙片Ｂの位置のみが図のような関係になっているものである。中綴じ（図２）の場合も同様に広告情報を印刷した紙片Ａと広告情報を印刷した紙片Ｂの位置のみが図の関係にあるものである。図は一実施例を示すもので、広告情報を印刷した紙片がＡ，Ｂ２種類の場合であるが、広告情報を印刷した紙片が２種類以上あっても、複数の広告情報を印刷した紙片をチェンジして２種類の場合と同様に作製可能である。以上のように構成された本は、約５０％の確率で広告情報を印刷した紙片が例えば前半と後半に存在するので、複数の広告依頼主に対して平等となり得る。
【０００７】
また請求項２の発明は少なくとも２つの広告情報を印刷した紙片を含み、表紙紙片およびその他の印刷された紙片は全て同じである本を集積した集積体において、広告情報を印刷した紙片Ａが１冊の本を約３等分した際の前１／３に位置し、紙片Ａに印刷された広告情報とは異なる広告情報を印刷した紙片Ｂが１冊の本を約３等分した際の後１／３に位置する本と、広告情報を印刷した紙片Ａが１冊の本を約３等分した際の後１／３に位置し、紙片Ａに印刷された広告情報とは異なる広告情報を印刷した紙片Ｂが１冊の本を約３等分した際の前１／３に位置する本とが、交互に重ね合わされている事を特徴とする集積体であるが、本を、１／３に分けて前と後ろに交互にしたのは、前１／３と真ん中１／３あるいは真ん中１／３と後１／３では近すぎて効果が小さいためである。
【０００８】
また、図１または図２の本が交互に重ね合わされて集積されることにより、これを梱包して小売店に配布したときにも、特定の広告情報を印刷した紙片が前半のみに固まってしまうということが避けられる。
【０００９】
平綴じ，無線綴じ機で図１に示した本の製造方法を提供するものである。ここで、図３を用いて平綴じ，無線綴じ機の側面形状の概要を説明する。製本機１はホッパー２に折丁３を装架されている。ポッパー２は図の紙面の表裏方向に隣あって１２駒〜６６駒ぐらい並んでいるものである。ホッパー２に装架された折丁３は、下部より先端に万力４を備えた万力アーム５により一部ずつ咥えられて受けガイド６の上に落とされる。この折丁を一部ずつ落とす機構は万力アーム方式の他、ロータリードラム方式もあり任意に選択可能である。受けガイド６は一部透明機材でできており、裏面にセンサー８を設置し折丁に設けられたセンサーマークを読み取り信号を制御部（図示せず）に送る。受けガイド６上の折丁３は搬送チェーン１０に約ホッパーの幅間隔で設けてある搬送チェーン棒９により搬送方向に押されて搬送ガイド７上に落ち、順次上に重ねられ丁合される。操作ボタン１１で運転が開始されトラブルが発生するとパトランプ１２が点灯する。
【００１０】
図４は製本機１の丁合部の平面説明図である。この例では１折とｎ折に広告情報を印刷した紙片ＡとＢが交互に入るものとする。１折ａには広告情報を印刷した紙片Ａが１折ｂには広告情報を印刷した紙片Ｂが入っており、ｎ折ａには広告情報を印刷した紙片Ａがｎ折ｂには広告情報を印刷した紙片Ｂが入っているものとする。よってｎ折ａと１折ｂ，ｎ折ｂと１折ａの組合せにならなければならない。まず、始めにｎ折ａかｎ折ｂのどちらか一方の折丁が選ばれ、該折丁のセンサーマーク１３をセンサー８（図４には図示せず）で検知し信号を制御部（図示せず）に送り、この信号に連動させて前記ｎ折ａと１折ｂ，ｎ折ｂと１折ａの組合せになるように制御する。もちろんその他の折丁は順番に重なる。
【００１１】
平綴じ，無線綴じの場合の別の製造方法である。条件は上記したものと同様とする。図５に示すようにｎ折のホッパーにｎ折ａとｎ折ｂを交互に装架し、一部ずつ取り出すときに、センサーでセンサーマーク１３を検知し信号を制御部に送り、ｎ折ａのときは１折ｂが選ばれ、ｎ折ｂのときは１折ａが選ばれるようにする製造方法である。このとき、センサーでセンサーマークを検知して、同じ広告情報を印刷した紙片が入る場合には不良ということでマークを付けるなりリジェクトできる機構を取りつけてもよい。頁の編成によりｎ折と１折が逆になることもあるし、折名等には関係なく同様の考え方で行なうものは本発明の範囲に入るものである。
【００１２】
また、本の製造方法において、前記広告情報を印刷した紙片の部分のみ入れ代わった折丁の小口部分または、天又は地部分を他の重ね合わす折丁より延長し、その延長部分にセンサーで識別可能なマークを設けたものである。図６は通常の折丁２０と通常の折丁より小口部分を延長した折丁２１を示す説明図である。小口２２を延長しその部分にセンサーマーク１３を設けるものである。このようにすることによりセンサーマーク１３を入れる充分なスペースを確保し精度を上げるものである。図７は丁合した折丁２６を背２３を下にして流れ方向に搬送している状態を示す説明図である。この時、前記小口部分を延長した折丁２１は通常の折丁２０より上に飛び出しているので重合わせても検知し易い。なお、センサーマーク１３は表裏に入れることにより容易に両側からセンサーで検出可能になる。
【００１３】
図８は通常の折丁２０と通常の折丁より天部を延長した折丁２７を示す説明図である。天２４を延長しその部分にセンサーマーク１３を設けたものである。このようにすることによりセンサーマーク１３を入れる充分なスペースを確保し精度を上げるものである。図９は丁合した折丁２６を背２３を下にして流れ方向に搬送している状態を示す説明図である。この時、前記天部を延長した折丁２７は通常の折丁２０より前に飛び出しているので重合わせても検知し易い。なお、センサーマーク１３は表裏に入れることにより容易に両側からセンサーで検出可能になる。また、図９では天を延長したが、同様に地を延長してもかまわない。
【００１４】
中綴じ本で請求項１乃至請求項２の本を製造するものである。図面は特に示さないが、平綴じ，無線綴じの受けガイド及び搬送ガイドの代わりに、折丁を中央から開いて搬送部に跨がるように重ねていき、丁合し最後に外側より針金で中央部まで刺して折り曲げて綴じるものである。中綴じでは折丁は前の頁と後ろの頁が混在していることになる。よって、前半に入る広告情報を印刷した紙片と後半に入る広告情報を印刷した紙片は折丁を真ん中から開いたとき、右側か左側にわかれる。広告情報を印刷した紙片以外は全て同じで、右側に広告情報を印刷した紙片Ａがあり左側に広告情報を印刷した紙片Ｂがある折丁と左側に広告情報を印刷した紙片Ｂがあり右側に広告情報を印刷した紙片Ａがある折丁を２種類作製する。これを図４、図５に示したような中綴じ機（図の送りガイドが折丁が跨がる機構に代わる）のホッパーに他の折丁とともに順番に装架する。仮に１折に上記広告情報を印刷した紙片Ａ，Ｂが入っているとすると、その他の２折からｎ折までは通常と同じである。本発明の場合は、１折ａと１折ｂの２駒用いて交互に丁合する方法と、１駒に１折ａと１折ｂを交互に装架して順番に重ね合わせる方法のどちらかが行われる。その他は通常の中綴じ本作製の方法で行なう。このような製造方法で行なうことにより、全く同じ内容の本で広告情報を印刷した紙片Ａと広告情報を印刷した紙片Ｂの位置のみが変わった中綴じ本が容易に製造可能となる。
【００１５】
【実施例】
以下図面を用いて本発明の実施例を説明する。
＜実施例１＞図３に示すような市販の平綴じ機を用いて図１に示すような２種類の本を作製した。折丁は１折ａ，１折ｂ，２折，３折，……，１０折，１１折，１２折，１３折ａ，１３折ｂの１５種類印刷した。表紙も別に用意した。１折ａには広告Ａを入れ、１折ｂには広告情報を印刷した紙片Ａの代わりに広告情報を印刷した紙片Ｂが入っている。また、１３折ａには広告情報を印刷した紙片Ａを入れ、１３折ｂには広告情報を印刷した紙片Ａの代わりに広告情報を印刷した紙片Ｂが入っている。１折ａ，１折ｂは広告以外は全て同じであり、１３折ａ，１３折ｂは広告以外は全て同じである。図４のように１折ａ，１折ｂ，……，１３折ａ，１３折ｂと順番に製本機のホッパーに装架した。折丁の１折ａ，１折ｂ，１３折ａ，１３折ｂの小口側に識別用のセンサーマークを設けた。本実施例では受けガイドの下側に一部受けガイドを透明にしてセンサーを設けた。このセンサーによりセンサーマークを画像認識し、信号を制御部に送り、１３折ａ，１３折ｂと１折ａ，１折ｂと連動させ、１３折ａが落ちたときは１折ｂが落ち、１３折ｂが落ちたときは１折ａが落ちるようにした。１３折ａと１３折ｂは交互に選ばれて落ちるように設定した。本実施例では要部の丁合部分の説明をしたが、他の工程は公知の製本工程であるので省略した。このようにして図１に示すような内容は全て同じで、広告情報を印刷した紙片の位置のみが異なっている平綴じ本が交互に集積され製造できた。
【００１６】
＜実施例２＞実施例１と同様にして行ったが、折丁の製本機への装架を図５のように１折ａ，１折ｂ，２折，３折，……，１０折，１１折，１２折，１３折ａと１３折ｂを交互に装架した。この１３折のａかｂかをセンサーで検知し信号を制御部に送り、その信号に基づき１３折ａのとき１折ｂが、１３折ｂのとき１折ａが落ちるように連動させ丁合した。図１に示すような内容は全て同じで、広告情報を印刷した紙片の位置のみが異なっている平綴じ本が交互に集積され製造できた。
【００１７】
＜実施例３＞市販の中綴じ機を用いて、１折〜１０折の図２に示すような中綴じ本を作製した。１折の折丁を中央から開いた左右の右側に広告情報を印刷した紙片Ａを左側に広告情報を印刷した紙片Ｂを入れた頁を持つものと、前記１折の折丁の左右の右側に広告情報を印刷した紙片Ｂを左側に広告情報を印刷した紙片Ａをいれた頁を持つものの２種類作製した。中綴じ機のホッパーに１折ａ，１折ｂ，２折，３折，……，８折，９折，１０折と順番に折丁を装架した。これを１０折から順番に走行するギャザリングチェーンに跨がるように重なっていくが、１折ａと１折ｂは交互に落ちて重なるように設定した。また、別の方法として、中綴じ機のホッパーに１折ａと１折ｂを交互に装架しておき、２折〜１０折までは同様に順番に装架した。このようにして、中綴じ機を稼働させ、他は通常の方法で行い、内容は全く同じで広告情報を印刷した紙片の位置のみが異なる中綴じ本を製造した。
【００１８】
＜実施例４＞実施例１と同様に行ったが、１折ａ，１折ｂ，１３折ａ，１３折ｂの折丁は図６に示す折丁２１のように小口部を延長しセンサーマーク１３を表裏同じ位置に設けた。ホッパー部での検出に加え、図７のように搬送途中で左右からセンサーで検出し不良品がでないかチェックした。
【００２４】
＜実施例５＞実施例２と同様に行ったが、１折ａ，１折ｂ，１３折ａ，１３折ｂの折丁は図８に示す折丁２７のように天を延長しセンサーマーク１３を表裏同じ位置に設けた。ホッパー部での検出に加え、図９のように搬送途中で左右からセンサーで検出し不良品がでないかチェックした。
【００１９】
【発明の効果】
本発明の本は、内容画全く同じで、広告情報を印刷した紙片の位置のみが異なり、前にあるものと後ろにあるものが２種あるので、広告情報を印刷した紙片の位置によるお得意先の不公平がなくなり平等な条件で本に広告情報を印刷した紙片を掲載できる。また、上記本が交互に集積または結束され、流通されることにより、店頭に並べたときも約５０％の確率で読者に渡る。本発明の製造方法を用いることにより、市販の製本機を一部改造することにより容易に上記本を製造することができる。さらに、折丁にセンサーマークを入れるスペースを小口、または天又は地を延長して設けることにより、検知精度を上げ不良品を除去できる。
【図面の簡単な発明】
【図１】本発明の本の一実施例を示す斜視図である。
【図２】本発明の本の別の一実施例を示す斜視図である。
【図３】平綴じ，無線綴じ機の側面から見た概略説明図である。
【図４】本発明の平綴じ、無線綴じ機の丁合部分を示す部分説明図である。
【図５】本発明の平綴じ、無線綴じ機の丁合部分を示す部分説明図である。
【図６】小口を延長した折丁の説明図である。
【図７】小口を延長した折丁を丁合した状態を示す説明図である。
【図８】天を延長した折丁の説明図である。
【図９】天を延長した折丁を丁合した状態を示す説明図である。
【符号の説明】
１…製本機  ２…ホッパー  ３…折丁  ４…万力  ５…万力アーム  ６…受けガイド  ７…搬送ガイド  ８…センサー  ９…搬送チェーン棒  １０…搬送チェーン  １１…操作ボタン  １２…パトランプ  １３…センサーマーク  ２０…通常の折丁  ２１…小口部分を延長した折丁  ２２…小口  ２３…背  ２４…天  ２５…地  ２６…丁合した折り丁  ２７…天を延長した折丁
【図１】
0003883594.tif 000002
【図２】
0003883594.tif 000003
【図３】
0003883594.tif 000004
【図４】
0003883594.tif 000005
【図５】
0003883594.tif 000006
【図６】
0003883594.tif 000007
【図７】
0003883594.tif 000008
【図８】
0003883594.tif 000009
【図９】
0003883594.tif 000010